(57)【要約】【課題】用紙幅が変化することに伴う画像品質の不均一の発生を防止すると共に、残留トナーのクリーニング能力の低下を防止する。【解決手段】トナー像を担持する像担持手段と、像担持手段と対向して配置される転写手段と、像担持手段と転写手段との間に搬送されることによりトナー像が転写される記録媒体と、記録媒体にトナー像が転写される前に、像担持手段に残留する電荷を取り除く転写前除電手段と、記録媒体の搬送方向と直交する方向である記録媒体の幅寸法を検出する検出手段と、転写手段と記録媒体の幅寸法とが重複する範囲では、転写前除電手段をオフにし、転写手段と記録媒体の幅寸法とが重複しない範囲では、転写前除電手段をオンにする制御手段と、含む。【選択図】図１
2014215442.tif 000002
【特許請求の範囲】
【請求項１】
トナー像を担持する像担持手段と、
前記像担持手段と対向して配置される転写手段と、
前記像担持手段と前記転写手段との間に搬送されることにより前記トナー像が転写される記録媒体と、
前記記録媒体に前記トナー像が転写される前に、前記像担持手段に残留する電荷を取り除く転写前除電手段と、
前記記録媒体の搬送方向と直交する方向である前記記録媒体の幅寸法を検出する検出手段と、
前記転写手段と前記記録媒体の幅寸法とが重複する範囲では、前記転写前除電手段をオフにし、前記転写手段と前記記録媒体の幅寸法とが重複しない範囲では、前記転写前除電手段をオンにする制御手段と、
を含むことを特徴とする転写装置。
【請求項２】
前記記録媒体に前記トナー像が転写された後に、前記像担持手段に残留する電荷を取り除く転写後除電手段をさらに含み、前記転写手段と前記記録媒体の幅寸法とが重複するか否かに係わらず、前記転写後除電手段はオンに制御されることを特徴とする請求項１に記載の転写装置。
【請求項３】
前記検出手段は、前記記録媒体の幅寸法に応じて可動する部材と、前記記録媒体を搬送する部材とが一体化して構成されていることを特徴とする請求項１又は２に記載の転写装置。
【請求項４】
前記転写前除電手段及び前記転写後除電手段は、少なくともＬＥＤ（Light Emitting Diode）又は蛍光灯で構成されていることを特徴とする請求項１から３の何れか１項に記載の転写装置。
【請求項５】
トナー像を担持する像担持手段と、
前記像担持手段と対向して配置される転写手段と、
前記像担持手段と前記転写手段との間に搬送されることにより前記トナー像が転写される記録媒体と、
前記記録媒体に前記トナー像が転写される前に、前記像担持手段に残留する電荷を取り除く転写前除電手段と、
前記記録媒体の搬送方向と直交する方向である前記記録媒体の幅寸法を検出する検出手段と、
前記転写手段と前記記録媒体の幅寸法とが重複する範囲では、前記転写前除電手段をオフにし、前記転写手段と前記記録媒体の幅寸法とが重複しない範囲では、前記転写前除電手段をオンにする制御手段と、
を含むことを特徴とする画像形成装置。
【請求項６】
前記記録媒体に前記トナー像が転写された後に、前記像担持手段に残留する電荷を取り除く転写後除電手段をさらに含み、前記転写手段と前記記録媒体の幅寸法とが重複するか否かに係わらず、前記転写後除電手段はオンに制御されることを特徴とする請求項５に記載の画像形成装置。
【請求項７】
前記検出手段は、前記記録媒体の幅寸法に応じて可動する部材と、前記記録媒体を搬送する部材とが一体化して構成されていることを特徴とする請求項５又は６に記載の画像形成装置。
【請求項８】
前記転写前除電手段及び前記転写後除電手段は、少なくともＬＥＤ又は蛍光灯で構成されていることを特徴とする請求項５から７の何れか１項に記載の画像形成装置。
【発明の詳細な説明】
【技術分野】
【０００１】
本発明は、転写装置、及び画像形成装置に関する。
【背景技術】
【０００２】
電子写真方式は、複写機やプリンタに用いられる最もよく知られた印刷方式の一つである。特にラインプリンタ市場では、その処理すべき情報量の増大に伴い、より高速の印刷能力が望まれている。また、近年ではイメージ画像印刷の要求も多く、その結果、その印刷画質も高品質で高精細なものが望まれている。
【０００３】
電子写真方式を採用する画像形成装置では、感光体の表面に対して帯電、露光、及び現像の各工程が行われ、トナー像が感光体表面に形成される。その後、トナー像は転写器により用紙に転写される。一方、用紙に転写されずに感光体表面に残留したトナーは、清掃装置により除去される。
【０００４】
ここで、現像時にプラスに帯電したトナーを用いる場合、転写器にはマイナスの電圧が印加される。転写後の感光体、及び残留トナーは転写器によりマイナスに帯電しており、残留トナーは感光体に静電的に付着しているため、清掃装置による残留トナーの機械的な掻き取りのみでは感光体表面のクリーニングは十分に行えない。
【０００５】
そこで、クリーニングに先立って、現像後転写前に除電手段で除電し、感光体表面の電荷を除去する構成をとる画像形成装置も提案されている。具体的には、ＡＣ（Alternating Current）コロトロンにより残留トナーの除電を行い清掃装置によるクリーニング能力を高めるようにしている。
【０００６】
特許文献１には、高速の電子写真装置の場合、転写の前後に除電の光源があった場合でも転写器の上流の除電装置は感光体全体に均一に照射しているため、転写後にＡＣコロトロンを追加する構成が記載されている。また、特許文献２には、ＡＣコロトロンの印加周波数及び印加電圧を調整することにより、ＡＣコロトロン通過後の感光体のマイナス帯電量を抑制し、残留トナーのクリーニング能力を向上させることが記載されている。
【０００７】
特許文献３には、静電潜像形成区間のみを除電することにより、感光ドラムの劣化を防止し、画像形成装置の寿命を向上させることが記載されている。特許文献４には、両端部（固定部分）のトナー汚れ等の劣化による除電能力の低下を補うため、両端の光量を増加させる方法が記載されている。
【発明の概要】
【発明が解決しようとする課題】
【０００８】
電子写真で感光体を用いる装置において、用紙幅を切り替えて使用する場合、転写時に感光体に加わる電荷により、用紙通過部と非用紙通過部とにおいて、印刷枚数が増えるに連れて、電荷の蓄積が発生し、帯電電位、及び残留電位に僅かな差が生ずる。これは、特に、用紙幅が狭い用紙から広い用紙に切り替えた場合や、大きな面積のハーフトーン等の印刷時において、画像品質の劣化という点で顕在化する。具体的には、狭い幅の用紙の端部に濃度差が発生し、画質が低下するという問題があった。また、転写後の電位の不均一性により、感光体軸方向のクリーニング効果が十分得られないという問題があった。
【０００９】
従来の装置においては、転写後に感光体にダメージの大きいＡＣコロトロンを配し、残留電位を一気に飽和させるまで低下させ、再帯電させ解決してきた。しかしながら、感光体寿命の短期化を招き、また、急激に除電させるＡＣコロトロンは、電位変動時トナー飛散が増大する悪影響をもたらしていた。さらに、光源により均一に除電する場合は、弱い光であるため、ＡＣコロトロンのような不具合はないものの、感光体軸方向の均一性を確保することが難しいという問題があった。
【００１０】
そこで、本発明は、上記従来技術の問題点に鑑みてなされたものであって、用紙幅が変化することに伴う画像品質の不均一の発生を防止すると共に、残留トナーのクリーニング能力の低下を防止することができる転写装置を提供することを目的とする。
【課題を解決するための手段】
【００１１】
上記課題を解決するため、請求項１に記載の本発明における転写装置は、トナー像を担持する像担持手段と、前記像担持手段と対向して配置される転写手段と、前記像担持手段と前記転写手段との間に搬送されることにより前記トナー像が転写される記録媒体と、前記記録媒体に前記トナー像が転写される前に、前記像担持手段に残留する電荷を取り除く転写前除電手段と、前記記録媒体の搬送方向と直交する方向である前記記録媒体の幅寸法を検出する検出手段と、前記転写手段と前記記録媒体の幅寸法とが重複する範囲では、前記転写前除電手段をオフにし、前記転写手段と前記記録媒体の幅寸法とが重複しない範囲では、前記転写前除電手段をオンにする制御手段と、を含むことを特徴とする。
【発明の効果】
【００１２】
本発明によれば、用紙幅が変化することに伴う画像品質の不均一の発生を防止すると共に、残留トナーのクリーニング能力の低下を防止することが可能な転写装置を得ることができる。
【図面の簡単な説明】
【００１３】
【図１】本発明の実施形態に係る転写装置の要部構成について説明する正面図である。
【図２】本発明の実施形態に係る転写装置の要部構成について説明する図１の断面図である。
【図３】本発明の実施形態に係る転写装置の要部構成について用紙搬送が片側固定の場合における要部構成について説明する正面図である。
【図４】本発明の実施形態に係る転写装置において、用紙の有無における転写前後の感光体電位の変化を示す図である。
【図５】本発明の実施形態に係る転写装置において、転写器や除電イレーズを隠す巻き取り式のシートを用いた要部構成について説明する正面図である。
【図６】本発明の実施形態に係る転写装置において、転写前イレーズを隠す両巻き取り式のシートの要部構成について説明する正面図である。
【図７】本発明の実施形態に係る転写装置において、転写前イレーズのＬＥＤ光源が用紙走行方向に複数配置されている構成について説明する正面図である。
【発明を実施するための形態】
【００１４】
次に、本発明を実施するための形態について図面を参照して詳細に説明する。なお、各図中、同一又は相当する部分には同一の符号を付しており、その重複説明は適宜に簡略化乃至省略する。
【００１５】
本発明は、電子写真の画質の向上に関する分野に属する発明であり、電子写真の均一な画質を得る技術とクリーニング能力の安定性に関する技術である。要するに、転写器と用紙の幅とが重複する範囲では転写前イレーズを実行せず、転写器と用紙の幅とが重複しない範囲では、転写前イレーズを実行することが特徴となっている。
【００１６】
まず、本発明の実施形態に係る転写装置の転写前後の要部構成について説明する。図１は、本発明の実施形態に係る転写装置の要部構成について説明する正面図であり、感光体２０の方向より転写器２を見た位置関係である。転写器２と感光体２０との位置関係については、後ほど図２の断面図を用いて説明する。
【００１７】
図１において、記録媒体である用紙１は、転写器２の上部を矢印で示す用紙走行方向に向かって走行している。転写器２には、トナー像が用紙１に転写できるように、トナーと逆極性の高圧の電圧が加わる転写コロトロンワイヤ３が張られ、転写コロトロンワイヤ３はコロナ放電している。
【００１８】
また、転写コロトロンワイヤ３のうち、転写器２上を用紙１が通過する用紙通過部には、感光体２０に対して電流が流れ込む。一方、転写コロトロンワイヤ３のうち、転写器２上を用紙１が通過しない非用紙通過部において、転写器２を覆っていない用紙１の両端部は、可動式の絶縁シート４が、転写コロトロンワイヤ３から感光体２０へ流れ込む電流を防いでいる。
【００１９】
ここで、本発明の実施形態の転写装置における特徴である、転写前後において除電を行うイレーズランプとして、転写前イレーズランプ５と転写後イレーズランプ６とが配置されている。転写前イレーズランプ５と、転写後イレーズランプ６とには、一定間隔でＬＥＤ（Light Emitting Diode）が配置されており、１個１個のＬＥＤ毎に、オン・オフの切り替えが可能となっている。
【００２０】
ここで、本発明の実施形態においては、説明を簡単にするために、図１において、用紙１の搬送方向と直交する方向である幅寸法の最大値が１１インチである転写装置を用いて説明する。一例として用紙幅が５インチである用紙１を用いて説明すると、図１には５インチ幅の連続した用紙１が装填されている。そして、転写前イレーズランプ５のＬＥＤは、アからサまで１インチ間隔で配置されている。
【００２１】
また、転写前イレーズ５と転写後イレーズ６とは、感光体２０と用紙１との間に配置されている。よって、ＬＥＤが発光した場合、用紙１によって光が遮られることによる感光体２０への照射が妨げられることはない。
【００２２】
ここで、一例として５インチ幅の用紙１を用いた場合の、ＬＥＤのオン・オフ状態について説明する。最大用紙幅が１１インチであるのに対し、用いる用紙１が５インチ幅であるため、図１に示すように、転写コロトロンワイヤ３には、非用紙通過部と用紙通過部とが存在する。
【００２３】
ここで、転写前イレーズ５のＬＥＤ照射は、転写コロトロンワイヤ３の影響を受けない非用紙通過部のアからウ、ケからサの６箇所を点灯ＬＥＤ１４として点灯させる。一方、転写コロトロンワイヤ３の影響を受けるエからクの非点灯ＬＥＤ１５を点灯させない。
【００２４】
次に、図１において、７インチ幅の用紙１を用いた場合の、ＬＥＤのオン・オフ状態について説明する。この場合、用紙が通過していない部分である非用紙通過部は、用紙幅が５インチの場合より狭くなる。すなわち、図１の左側のア、イと右側のコ、サのＬＥＤを点灯ＬＥＤ１４として点灯させることにより、この部分の除電を行うと共に、用紙通過部に対応するウからケは非点灯ＬＥＤ１５とする。さらに、１１インチ幅の用紙の場合は、転写コロトロンワイヤ３の全体が用紙通過部に相当するためＬＥＤを点灯させない。
【００２５】
ここで、ＬＥＤのオン・オフ切り替え制御方法について図１を用いて詳細に説明する。図１に示すように、転写器２には、用紙１の両端幅を固定する固定部材７と固定部材８とが配置されており、用紙幅と共に可動する。さらに、固定部材７には固定部材９が固定されており、固定部材７と同じ距離を移動し、反対側の固定部材８には、固定部材１０が固定されており、固定部材８と同じ距離を移動する。固定部材９と固定部材１０とは、ＬＥＤのオン・オフ切り替えを制御するスイッチ基板１１に接触しており、固定部材から見て用紙１が通過する部分とは異なる部分に存在するＬＥＤをオンにする機能を有する。
【００２６】
このように、転写器とＬＥＤのオン・オフ切り替えを用紙幅に合わせて同時に制御することにより、用紙通過部と非用紙通過部との間で除電後の感光体電位を均一にすることができる。すなわち、用紙の幅寸法を検出することにより、ＬＥＤのオン・オフ切り替えを制御している。例えば、５インチ幅の用紙１の場合、固定部材９は、スイッチ基板１１のウの部分に接触するように配置される。また、固定部材１０は、スイッチ基板１１のケの部分に接触するように配置される。
【００２７】
また、例えば、７インチ幅の用紙１の場合、固定部材９はスイッチ基板１１のイの部分に接触するように配置される。固定部材１０は、スイッチ基板１１のキからサの間を移動する。このように用紙幅が変わる場合、固定部材９は、用紙幅に連動してスイッチ基板１１のアからオの間を移動する。一方、反対側の固定部材１０は、スイッチ基板１１のケの部分に接触するように配置される。
【００２８】
そして、用紙１が通過する部分と通過しない部分とにおいて、ＬＥＤのオン・オフの部分を変えることにより、非用紙通過部であっても先に除電しておくことにより、転写後の感光体２０のアからサの部分において、均一な電位を維持することが可能となる。
【００２９】
すなわち、転写後の除電段階における転写部の除電効果と同等レベルに至るまで、感光体２０の表面電位を先に下げておく。これにより、転写部において転写コロトロンワイヤ３の影響が発生したとしても、転写後の感光体軸方向に均一な電位を維持することが可能となる。さらに、用紙幅を変更したときに発生する微妙な画像濃度差の防止や、感光体軸方向の均一なクリーニング効果を確保することができる。
【００３０】
次に、本発明の実施形態に係る転写装置の位置関係、具体的には、転写装置と転写前後のイレーズの位置関係を説明する。図２は、本発明の実施形態に係る転写装置の要部構成について説明する図１の断面図である。
【００３１】
図２は、トナー像を担持する像担持手段である感光体２０の回りには、帯電器２１、レーザ２２、現像ロール２５を配した現像機２３、転写器２、清掃器２４を配した電子写真装置を示している。転写器２と感光体２０とは対向して配置され、転写器２と感光体２０との間には、連続した用紙１が搬送されており、感光体２０上に現像されたトナーが転写器２により転写される。本発明の特徴である用紙幅に応じて、照射幅が変わる転写前イレーズ５と感光体全体を照射する転写後イレーズ６とは、感光体２０に対して、用紙１との間に配置されている。
【００３２】
次に、図１と図３とを用いて、特許文献４との相違点について説明する。図３は、本発明の実施形態に係る転写装置の要部構成について用紙搬送が片側固定の場合における要部構成について説明する正面図である。
【００３３】
まず、図１を用いて説明すると、特許文献４には、感光体中央部と、極めて端に近い固定した端部である両端部についての除電効果のみが記載されている。これは、印刷量が増えて除電効果の不足する端部における除電効果を確保しようとするものである。図１の実施の形態においても両端部の除電効果を上げることとしているが、これはトナー汚れに対する防御ではなく、用紙通過部が中央振り分け構成であるため、両端部の除電部分を強化しているのである。さらに、本発明の実施形態においては、中央と両端における除電効果の強度を変える部分は、用紙幅と共に可動であるから、除電効果の強弱の部分は可変である。したがって、本発明の実施形態において、用紙搬送が片側固定である図３に示す構成は、特許文献４に記載された構成とは異なる構成である。
【００３４】
図３において、最大用紙幅は、図１に示した１１インチと同様である。図１と異なる部分は、図１は、用紙通過部が中央振り分けであるのに対し、図３は、向かって左側が、固定部材３２で固定されており、可動する部材は、固定部材８と固定部材８に付帯する固定部材１０であることである。ここで、図３において、まず最初に分かり易くするために、用紙３１は３インチ幅の用紙であるとして説明する。転写前イレーズ５において、ＬＥＤ光源のうちアからウの部分は、用紙通過部に相当する部分であるためＬＥＤを点灯させない。一方、ＬＥＤ光源のうち、エからサの部分については、非用紙通過部であるためＬＥＤを点灯させる。つまり、転写前のＬＥＤの点灯部分は、中央部も含めた右側の端部までである。
【００３５】
これは、アからウの左側端部と比較して、中央部のエからクの部分の光量が強い構成となっており、同じ端部であっても、アからウの部分と、ケからサの部分とでは、光量の相違がみられる。さらに詳述すると、中央部のＬＥＤ光源３５と端部のＬＥＤ光源３６とは、オン状態でかつ同等の光量であり、さらに端部のＬＥＤ光源３４は、中央部のＬＥＤ光源３５より弱い。よって、特許文献４に記載されている端部の光量が強い構成とは全く構成が異なるものである。また、転写後イレーズ６は全面点灯していることからも相違点が見られる。
【００３６】
次に、本発明の実施形態に係る転写装置において、用紙の有無における転写前後の感光体電位の変化について説明する。図４は、本発明の実施形態に係る転写装置において、用紙の有無における転写前後の感光体電位の変化を示す図である。
【００３７】
図４では、縦軸に感光体２０の表面電位、横軸に時間軸を示し転写前後の過程を示している。まず、用紙通過部の感光体電位であるが、印字部と非印字部とで異なる。印字部はライン４２で示すように、現像時に感光体残留電位近辺まで低下しており、清掃器の段階でも僅かな変動である。一方、非印字部は、ライン４１で示すように、転写器までは僅かに低下が見られるものの、帯電時の表面電位と大きな差が見られない。また、転写時に、感光体とは逆極性の電荷が加わることにより、電位の急激な低下を示す。さらに、転写後イレーズの除電作用によって、清掃器に到達する頃には、ライン４２の残留電位レベル（Ａ）に到達する。
【００３８】
次に、非用紙通過部の感光体電位について説明する。非用紙通過部の感光体表面電位は、ライン４３と４４を用いて説明する。非用紙通過部において、感光体電位は、ライン４４に示すように、転写前イレーズの照射がない場合、転写器までは、用紙通過部と同様に、ライン４１と同様の僅かな低下の電位である。そして、その後も転写後イレーズに到達するまで僅かな低下に留まる。
【００３９】
さらに、転写後イレーズに到達した時点で急激な感光体表面電位の低下が見られるが、清掃器に突入する時点においても、レベル（Ａ）には到達することができず、レベル（Ｂ）までしか到達することができない。すなわち、用紙通過部と非用通過紙部との間で微妙な電位差が生じていた。
【００４０】
そして、この現象を改善するため、従来、転写後イレーズの前後何れかにＡＣコロトロンを配置し、非用紙通過部においてもレベル（Ａ）に到達するよう強力な電荷をかけていたが、感光体に対するダメージが大きかった。本発明の実施形態においては、ＡＣコロトロンを用いることなく、清掃器突入時に、用紙通過部と非用紙通過部とにおいて、同等の電位レベルに抑えることができる。
【００４１】
これをライン４３で説明する。転写前イレーズ時点においては、ライン４４、ライン４１と同じ電位低下であるが、転写前イレーズによって低下の傾きが増加する。その後、転写後イレーズによってさらに傾きが増加し、清掃器に突入する時点でレベル（Ａ）まで低下し、用紙通過部と非用紙通過部との間で残留電位に差がほとんど現れなくなる。
【００４２】
ここで、表面電位の具体的な数値を用いて再度説明する。現像後の感光体の表面電位は、用紙が通過し、かつ非印字部において、転写前イレーズでは、ライン４１に示すように低下している。具体的には、帯電時の表面電位である７００Ｖから７３０Ｖより若干低い電位である、現像機を通過した電位６６０から７００Ｖである。
【００４３】
転写コロトロンワイヤ３を通過した後の表面電位は、傾きが急となり、転写後イレーズ前に２６０Ｖから３４０Ｖ程度まで低下し、最後に転写後イレーズにより、４０から８０Ｖ程度の残留電位に落ち着く。
【００４４】
一方印字部は、ライン４２の電位に示すように、現像により８０Ｖから１００Ｖに大きく低下し、その後僅かに低下していき、最終的に４０Ｖから８０Ｖの電位に落ち着く。ここまでは、用紙通過部である印刷部について説明したが、最大用紙幅に満たない用紙において用紙が通過しない部分、すなわち、非用紙通過部の感光体電位について説明する。
【００４５】
非用紙通過部（ライン４３）は、転写前イレーズに到達するまでは、用紙通過部の非印字部の電位変動であるライン４１と同様の経過を示すが、転写前イレーズにより転写コロトロンワイヤ３に到達する頃には、３４０Ｖから４００Ｖ程度に低下する。その後、絶縁シート４により転写器の影響は少なくなり、転写後イレーズまでなだらかに低下し、転写後イレーズにより除電され、ライン４１に近い電位で推移する。
【００４６】
一方、転写前イレーズをかけない場合（ライン４４）、非印字部に関しては、感光体２０のトナー飛散を防止する絶縁シート４により、転写コロトロンワイヤ３の影響を受けることなく転写後イレーズに到達するまで、なだらかに低下していく。具体的には、２６０Ｖから３４０Ｖまで低下し、転写後イレーズにより、４０Ｖから８０Ｖに落ち着く。
【００４７】
ただし、ライン４４の電位線は、清掃器に感光体が到達する時点で用紙通過部と異なる１３０Ｖの残留電位となり、電荷の蓄積が用紙通過部と非用紙通過部とで異なってしまう。要するに、上記説明したようにライン（Ａ）とライン（Ｂ）との間で僅かな残留電位差が発生する。
【００４８】
次に、転写器、除電イレーズ、転写前イレーズを隠す巻き取り式のシートの構成について説明する。図５は、本発明の実施形態に係る転写装置において、転写器や除電イレーズを隠す巻き取り式のシートの要部構成について説明する正面図である。また、図６は、本発明の実施形態に係る転写装置において、転写前イレーズを隠す両巻き取り式のシートを用いた要部構成について説明する正面図である。
【００４９】
上述した図１、及び図３に示した実施形態においては、図５の符号１２に示す片側巻き取り式の部材が転写コロトロンワイヤ３の両端に取り付けられている。図６に示す実施形態においては、転写前イレーズを隠す両巻き取り式のシート５１が取り付けられている。ここで、巻き取り式のシートは、転写コロトロン部はポリウレタンやポリエステル等の透明な絶縁シートが用いられており、除電イレーズには、光を通過させないポリイミド等の着色のシートが用いられている。
【００５０】
次に、図１で説明した実施形態とは異なる実施形態として、除電イレーズとして蛍光灯を用いた場合の部分照射方法について図６を用いて説明する。図１の実施形態では、転写前イレーズ、転写後イレーズ共にＬＥＤを用いていたが、図６の実施形態では、転写前イレーズ５、転写後イレーズ６共に蛍光灯５２、及び５３を用いる構成を示している。蛍光灯は、転写前後共に動作中は点灯している。
【００５１】
ここで、連続する用紙１の用紙幅を合わせるために、用紙穴を送り出す部材５７、５８と、図６で示す転写を隠すシート（絶縁シート）４と、転写前イレーズ５を隠すシート５１とを、部材５４、及び５５により一体化している。この構成を採ることにより、非用紙通過部の感光体２０に転写前イレーズをかけることができ、かつ用紙通過部の感光体２０に転写前イレーズをかけない構成を採ることができる。
【００５２】
次に、図１で説明した実施形態の変形例について説明する。図７は、本発明の実施形態に係る転写装置において、転写前イレーズのＬＥＤ光源が用紙走行方向に複数配置されている構成について説明する正面図である。
【００５３】
図７において、図１で説明した実施形態と異なる特徴としては、転写前イレーズ５のＬＥＤ光源が用紙走行方向に複数配置されており、用紙通過部と非用紙通過部とにおいて、光量を変化させることが可能な点である。図７においては、ＬＥＤが３個縦に並んだ構成を説明しており、用紙部に３個中１個の点灯、非用紙部に３個中２個の点灯のように可変することができる。
【００５４】
さらに、感光体の表面電位設定が高い場合は、非用紙通過部に３個の点灯、用紙通過部に２個の点灯と変更することも可能である。また、感光体表面電位が低い場合は、非用紙通過部が３個中１個の点灯、用紙通過部が点灯なしとする切り替えも可能である。
【００５５】
最後に、特許文献５との相違について説明する。特許文献５では、感光体上、画像領域（用紙通過部）と非画像領域（非用紙通過部）とは、交互に現れている。したがって、転写前イレーズの照射は、感光体の回転方向において一律であり、かつ常に変化させていることになる。
【００５６】
これに対して、本発明の実施形態では、連続用紙を使用していることから、用紙通過部と非用紙通過部とは、常に区分されている。したがって、転写前イレーズの用紙通過部がオフで、非用紙通過部がオンであるといったように、常に一定の光量が照射し続けることが特徴となっている。
【００５７】
また、特許文献５は、転写前のイレーズと、転写後のクリーナ前チャージャとを組み合わせたものであるが、本発明の実施形態は、強力な除電効果を有するチャージャを用いることなく、転写前後の光源によるイレーズによって除電効果を得ようとするものである。
【００５８】
さらに、特許文献５は、ランダムに流れる同じ大きさの用紙におけるクリーニング能力の低下や転写の欠陥を防ぐためのものである。すなわち、用紙の幅方向が常に一定で、絶えず表面電位を変化させて最適化を図るものである。
【００５９】
これに対して、本発明は、用紙を交換した際、特に狭い幅の用紙から広い幅の用紙に切り替えた際に、非用紙通過部が用紙通過部に変化したことによる印刷品質、及びクリーニング能力が低下することを防止するものである。すなわち、１種類の用紙幅、１種類の現像性条件（表面電位／バイアス電位条件）に対して、転写前イレーズの長手方向の照射方法が１つ対応するものである。
【００６０】
要するに、本発明は、用紙幅が変化することに伴い、今まで非用紙通過部だった箇所が用紙通過部となることにより、微妙に印刷濃度が変わり、印刷の不均一が発生することを防止するためのものである。さらに、用紙幅が広い用紙に交換された直後に、クリーニング能力が低下することを防止するためのものである。
【００６１】
以上説明したように、本発明では、転写器と用紙の幅とが重複する範囲では転写前イレーズを実行せず、転写器と用紙の幅とが重複しない範囲では、転写前イレーズを実行している。これにより、転写前のイレーズの照射範囲を用紙幅に合わせ、用紙の有無に応じて切り替えることにより、転写部の除電に対する感光体の影響を低減又は相殺することができる。
【００６２】
また、転写前の照射を転写後より弱い光量で非用紙通過部に照射することにより、除電期間を十分に確保し、感光体の疲労を低減することができる。さらに、用紙幅を規定する部材と照射範囲のスイッチ機能とを連動させることにより、用紙通過部と非用紙通過部の除電に差をつけ、感光体軸方向の除電を一律に抑えることができる。
【００６３】
以上述べたように、本発明によれば、用紙幅が変化することに伴う画像品質の不均一の発生を防止すると共に、残留トナーのクリーニング能力の低下を防止することが可能な転写装置、及び画像形成装置を得ることができる。
【００６４】
以上、本発明の好適な実施形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００６５】
１、３１    用紙
２    転写器
３    転写コロトロンワイヤ
４    絶縁シート
５    転写前イレーズ
６    転写後イレーズ
７、８、９、１０、３２    固定部材
１１    スイッチ基板
１２    片側巻き取り式の部材
１４    点灯ＬＥＤ
１５    非点灯ＬＥＤ
２０    感光体
２１    帯電器
２２    レーザ
２３    現像機
２４    清掃器
２５    現像ロール
３４、３５、３６    ＬＥＤ光源
４１、４２、４３、４４    ライン
５１    両側巻き取り式のシート
５２、５３    蛍光灯
５４、５４、５７、５８    部材
６１    点灯ＬＥＤ１
６２    点灯ＬＥＤ２
６３    非点灯ＬＥＤ２
６４    非点灯ＬＥＤ３
【先行技術文献】
【特許文献】
【００６６】
【特許文献１】特開２００７−１５６３１４号公報
【特許文献２】特開平０７−０９２８６９号公報
【特許文献３】特開平０４−３４６３８５号公報
【特許文献４】特開平１０−１８６９７８号公報
【特許文献５】特許第３５９８２０９号公報
【図１】
2014215442.tif 000003
【図２】
2014215442.tif 000004
【図３】
2014215442.tif 000005
【図４】
2014215442.tif 000006
【図５】
2014215442.tif 000007
【図６】
2014215442.tif 000008
【図７】
2014215442.tif 000009